(57)【要約】【目的】  従来のガスタービンエンジンを燃焼による膨張ガスと、同時に発生する熱を回転力に変え熱効率の向上、高出力、高回転、排気音の皆無を可能とする。【解決手段】膨張タンクＡ３と膨張タンクＢ４を連続して二つ設ける。二つのタンクの中央にガス通路を設ける。膨張タンクＡ３の入口に空気を送り込む圧縮ポンプ１を設ける。また膨張タンクＡ３の入口に近いところに燃料に噴射ノズル７を設ける。燃料タンクを設け、そこから加圧ポンプで燃料噴射ノズル７へ圧送させる。燃料噴射ノズル７の前に着火させる点火ヒーター５を設ける。膨張タンクＢ４の出口に圧力回転機２を設ける。膨張タンクＡ３と膨張タンクＢ４の通路を通過したところに水の噴射ノズル８を設ける。また水のタンクを設け加圧ポンプにより水の噴射ノズル８に圧送する。圧縮ポンプ１と圧力回転機２は連動するものとする。連動軸に始動モーター１２を設ける。膨張タンクＡに補助吸入口を設ける。燃焼による膨張ガスと、同時に発生される熱で水の噴射による霧をガス化させ、その膨張力を回転に変えるエンジン【選択図】図１
2005344704.tif 000002
【特許請求の範囲】
【請求項１】
膨張タンクＡ３と膨張タンクＢ４を連続して設ける。二つのタンクの中央にガス通路を設ける。膨張タンクＡの入口に空気を送り込む圧縮ポンプ１を設ける。また膨張タンクＡ３の入口に近いところに燃料噴射ノズル７を設ける。燃料タンクを設け、そこから、加圧ポンプで燃料噴射ノズル７へ圧送させる。燃料噴射ノズル７の前に着火させる点火ヒーター５を設ける。膨張タンクＢ４の出口に圧力回転機２を設ける。膨張タンクＡ３と膨張タンクＢ４の通路を通過したところに、水の噴射ノズル８を設ける。また水のタンクを設け、そこから加圧ポンプにより、水の噴射ノズル８へ圧送する。圧縮ポンプ１と圧力回転機２は連動するものとする。膨張タンクＢ４の側面に温度センサー６を設ける。また膨張タンクＡ３の側面に非常時安全弁１１を設けるものとする。連動軸には始動モーター１２を設ける。膨張タンクＡ３の圧縮ポンプ１の近くに補助吸入口９を設ける。補助吸入口には逆止弁１３を設けるものとする。メインスイッチを入れると始動モーター１２が作動し、圧縮ポンプ１と補助吸入口９から空気が送り込まれ、同時に点火ヒーター５に電源が入り加熱される。それから燃料噴射ノズル７から燃料が噴射される。そして膨張ガスが発生され膨張タンクＢ４へと送り込まれる。そのタンク内の温度が一定以上に達したら水の噴射ノズル８から霧が噴射され、水蒸気になり更にガス化される。圧力回転機２の回転数は燃料の噴射ノズル７の噴射量によりコントロールされる。水の噴射量はガス化される量とし、連動軸の回転数に比例するものとする。また膨張タンクＢ内の温度が一定以下になったら水の噴射は止まるものとし、再びその温度が一定以上になったら噴射するものとする。このエンジンの燃料の燃焼による膨張ガスと、同時に発生する熱により、水の噴射による霧をガス化させ、その膨張力で圧力回転機を回転させる。また同時に圧縮ポンプ１により、強制的に空気を膨張タンクＡ３に送り込み、燃料の霧を点火ヒーター５により常に着火させ燃焼させる。これを連続させる回転式ジェットアンドスチーム噴射エンジン。またこのエンジンに必要なものを全て設けるものとする。
【発明の詳細な説明】
【技術の分野】
【０００１】燃料の燃焼ガスの膨張と同時に発生した熱で水の噴射ノズルから噴射された霧を水蒸気に変え更にガス化され、その膨張力で圧力回転機を回転させる回転式ジェットアンドスチーム噴射エンジンに関するものである。
【背景技術】
【０００２】従来のガスタービンエンジンは燃焼による膨張ガスでタービンを回転させるが、熱エネルギーが捨てられていた。また熱効率も低かった。排気音も大きかった。
【発明の開示】
【発明が解決しようとする課題】
【０００３】従来のガスタービンエンジンを燃焼による膨張ガスの膨張力と同時に発生する熱を利用して回転力に変え、熱効率の向上と排気音を小さくすること。
【発明が解決するための手段】
【０００４】膨張タンクＡ３と膨張タンクＢ４を連続して設ける。二つのタンクの中央にガス通路を設ける。膨張タンクＡの入口に空気を送り込む圧縮ポンプ１を設ける。また膨張タンクＡ３の入口に近いところに燃料噴射ノズル７を設ける。燃料タンクを設け、そこから、加圧ポンプで燃料噴射ノズル７へ圧送させる。燃料噴射ノズル７の前に着火させる点火ヒーター５を設ける。膨張タンクＢ４の出口に圧力回転機２を設ける。膨張タンクＡ３と膨張タンクＢ４の通路を通過したところに、水の噴射ノズル８を設ける。また水のタンクを設け、そこから加圧ポンプにより、水の噴射ノズル８へ圧送する。圧縮ポンプ１と圧力回転機２は連動するものとする。膨張タンクＢ４の側面に温度センサー６を設ける。また膨張タンクＡ３の側面に非常時安全弁１１を設けるものとする。連動軸には始動モーター１２を設ける。膨張タンクＡ３の圧縮ポンプ１の近くに補助吸入口９を設ける。補助吸入口には逆止弁１３を設けるものとする。メインスイッチを入れると始動モーター１２が作動し、圧縮ポンプ１と補助吸入口９から空気が送り込まれ、同時に点火ヒーター５に電源が入り加熱されるそれから燃料噴射ノズル７から燃料が噴射される。そして膨張ガスが発生され膨張タンクＢ４に送り込まれる。そのタンク内の温度が一定以上に達したら水の噴射ノズル８から霧が噴射され水蒸気になり更にガス化される。圧力回転機２の回転数は燃料の噴射ノズル７の噴射量によりコントロールされる。水の噴射量はガス化される量とし連動軸の回転数に比例するものとする。また膨張タンクＢ内の温度が一定以下になったら水の噴射は止まるものとし、再びその温度が一定以上になったら噴射するものとする。このエンジンの燃料の燃焼による膨張ガスと同時に発生する熱により、水の噴射による霧をガス化させその膨張力で圧力回転機を回転させる。また同時に圧縮ポンプ１により強制的に空気を膨張タンクＡ３に送り込み、燃料の霧を点火ヒーター５により常に着火させ燃焼させる。これを連続させる回転式ジェットアンドスチーム噴射エンジン。またこのエンジンに必要なものを全て設けるものとする。
【発明の効果】
【０００５】この発明により燃焼による膨張ガスと、同時に発生される熱を回転力に変えることができ、熱効率の向上と、高出力、高回転が可能となり、エンジンの排気音も小さくすることが可能となった。
【発明を実施するための最良の形態】
【０００６】燃焼による膨張ガスと、同時に発生される熱で、水の噴射による霧を水蒸気に変え、更にガス化させ、その膨張力で圧力回転機を回転させ熱効率の向上と高出力、高回転を可能とする。またエンジンの排気音を小さくすることができた。
【実施例】
【０００７】膨張タンクＡ３と膨張タンクＢ４を連続して設ける。二つのタンクの中央にガス通路を設ける。膨張タンクＡの入口に空気を送り込む圧縮ポンプ１を設ける。また膨張タンクＡ３の入口に近いところに燃料噴射ノズル７を設ける。燃料タンクを設け、そこから、加圧ポンプで燃料噴射ノズル７へ圧送させる。燃料噴射ノズル７の前に着火させる点火ヒーター５を設ける。膨張タンクＢ４の出口に圧力回転機２を設ける。膨張タンクＡ３と膨張タンクＢ４の通路を通過したところに、水の噴射ノズル８を設ける。また水のタンクを設け、そこから加圧ポンプにより、水の噴射ノズル８へ圧送する。圧縮ポンプ１と圧力回転機２は連動するものとする。膨張タンクＢ４の側面に温度センサー６を設ける。また膨張タンクＡ３の側面に非常時安全弁１１を設けるものとする。連動軸には始動モーター１２を設ける。膨張タンクＡ３の圧縮ポンプ１の近くに補助吸入口９を設ける。補助吸入口には逆止弁１３を設けるものとする。メインスイッチを入れると始動モーター１２が作動し、圧縮ポンプ１と補助吸入口９から空気が送り込まれ、同時に点火ヒーター５に電源が入り加熱される。それから燃料噴射ノズル７から燃料が噴射される。そして膨張ガスが発生され、膨張タンクＢ４へと送り込まれる。そのタンク内の温度が一定以上に達したら水の噴射ノズル８から霧が噴射され、水蒸気になり更にガス化される。圧力回転機２の回転数は燃料の噴射ノズル７の噴射量によりコントロールされる。水の噴射量はガス化される量とし、連動軸の回転数に比例するものとする。また膨張タンクＢ内の温度が一定以下になったら水の噴射は止まるものとし、再びその温度が一定以上になったら噴射するものとする。このエンジンの燃料の燃焼による膨張ガスと、同時に発生する熱により、水の噴射による霧をガス化させ、その膨張力で圧力回転機を回転させる。また同時に圧縮ポンプ１により、強制的に空気を膨張タンクＡ３に送り込み、燃料の霧を点火ヒーター５により常に着火させ燃焼させる。これを連続させる回転式ジェットアンドスチーム噴射エンジン。またこのエンジンに必要なものを全て設けるものとする。この発明により、燃焼による膨張ガスと、同時に発生される熱を回転力に変えることができ、熱効率の向上と、高出力、高回転、排気音の皆無が可能となった。
【産業上の利用可能性】
【０００８】燃焼による膨張ガスと、同時に発生される熱で水の噴射による霧をガス化させ、その膨張力を回転に変える回転式ジェットアンドスチーム噴射エンジンで利用範囲は多種多用である。
【図面の簡単な説明】
【０００９】
【図１】この発明の実施例を示す要部断面図
【図２】この発明の実施例を示す平面配置図
【図３】ロータリーポンプ縦断面図
【図４】ロータリーポンプ横断面図
【符号の説明】
【００１０】１．圧縮ポンプ              ８．水の噴射ノズル
２．圧力回転機              ９．補助吸入口
３．膨張タンクＡ          １０．連動軸
４．膨張タンクＢ          １１．非常時安全弁
５．点火ヒーター          １２．始動モーター
６．温度センサー          １３．逆止弁
７．燃料噴射ノズル
【図１】
2005344704.tif 000003
【図２】
2005344704.tif 000004
【図３】
2005344704.tif 000005
【図４】
2005344704.tif 000006